(57)【特許請求の範囲】
【請求項１】
移動体端末との間で無線通信する複数の送受信局と、入力された配信する情報に基づいて配信情報を生成する情報入力端末と、前記配信情報を前記送受信局へ供給する情報配信装置とが、インターネットプロトコルに準拠した通信プロトコルを使用した通信ネットワークを介して双方向通信可能な状態で接続されたシステムにおける移動体端末への情報配信方法であって、
所望の情報と、その所望の情報に関係する地域又は経路を示すエリア識別子とからなるサブコンテンツを含む情報コンテンツと、前記所望の情報の内容の概要を示す配信情報の論理的な識別と、前記移動体端末への送信方式を識別する配信方式識別と、前記配信情報を送信する相手先の前記移動体端末を示す送信先アドレスとしてのマルチキャストＩＰアドレスとからなる情報を、前記情報入力端末が前記配信情報として生成し、その配信情報を前記通信ネットワークを介して前記情報配信装置へ送信する第１のステップと、
前記情報配信装置が前記第１のステップで前記情報入力端末から送信された前記配信情報を受信し、受信したその配信情報を前記複数の送受信局に供給し、その配信情報を前記複数の送受信局により全ての前記移動体端末へ無線により同報送信させる第２のステップと、
前記配信情報を受信した前記移動体端末が、受信した配信情報中の前記サブコンテンツに含まれる前記エリア識別子に基づいて、そのサブコンテンツに含まれる前記所望の情報が自端末にとって有効であるか否かを判定する第３のステップと、
前記第３のステップで有効と判定した前記所望の情報を、前記移動体端末がその端末利用者に提供する第４のステップと
を含むことを特徴とする移動体端末への情報配信方法。
【請求項２】
移動体端末との間で無線通信する複数の送受信局と、入力された配信する情報に基づいて配信情報を生成する情報入力端末と、前記配信情報を前記送受信局へ供給する情報配信装置とが、インターネットプロトコルに準拠した通信プロトコルを使用した通信ネットワークを介して双方向通信可能な状態で接続されたシステムにおける移動体端末への情報配信方法であって、
前記移動体端末の利用者による所望のサービス提供の可否の問い合わせに関する情報コンテンツと、前記情報コンテンツの内容の概要を示す配信情報の論理的な識別と、前記移動体端末への送信方式を識別する配信方式識別と、前記配信情報を送信する相手先の前記移動体端末を示す送信先アドレスとしてのマルチキャストＩＰアドレスと、問い合わせに対応可能な場合に応答を要求する応答識別と、前記情報入力端末のＩＰアドレスである応答先送信アドレスとからなる問い合わせ情報を第１の配信情報として前記情報入力端末が生成し、その第１の配信情報を前記通信ネットワークを介して前記情報配信装置へ送信する第１のステップと、
前記情報配信装置が前記第１のステップで前記情報入力端末から送信された前記第１の配信情報を受信して前記通信ネットワークを介して前記複数の送受信局に供給し、その第１の配信情報を前記複数の送受信局により全ての前記移動体端末へ無線により同報送信させる第２のステップと、
前記第１の配信情報を受信した前記移動体端末が、受信した第１の配信情報中の前記情報コンテンツが示す問い合わせに対して対応可能であるか否かを判定する第３のステップと、
前記第３のステップで対応可能と判定した前記移動体端末が対応可能を示す第１の応答情報を生成して、前記複数の送受信局のうちの送受信可能な送受信局と前記通信ネットワークを介して前記第１の配信情報中の前記応答先送信アドレスの情報入力端末へ送信する第４のステップと、
一又は二以上の前記移動体端末からの前記第１の応答情報を受信した前記情報入力端末が、その第１の応答情報の発信元の移動体端末の中から選択した一の移動体端末への指示情報として、サービス提供を指示する指示内容を示す情報コンテンツと、指示情報であることを示す論理的な識別と、一の移動体端末に送信することを示す配信方式種別と、送信先の一の移動体端末を示す送信先アドレスとしてのシングルキャストＩＰアドレスと、確認応答を要求する確認応答種別と、前記情報入力端末のＩＰアドレスである応答先送信アドレスとからなる第２の配信情報を生成し、その第２の配信情報を前記通信ネットワークを介して前記情報配信装置へ送信する第５のステップと、
前記情報配信装置が前記第５のステップで前記情報入力端末から送信された前記第２の配信情報を受信して前記通信ネットワークを介して前記選択した一の移動体端末と通信可能な一の送受信局に供給し、その一の送受信局により前記第２の配信情報を無線により前記選択した一の移動体端末へ送信させる第６のステップと、
前記第２の配信情報を受信した前記選択した一の移動体端末が第２の応答情報を生成して、前記一の送受信局及び前記通信ネットワークを介して前記情報入力端末へ送信する第７のステップと
を含むことを特徴とする移動体端末への情報配信方法。
【請求項３】
前記所望のサービス提供の可否の問い合わせ情報は、タクシー、宅配便トラック、緊急車両などの配車に関する問い合わせ情報であることを特徴とする請求項２記載の情報配信方法。
【請求項４】
移動体端末との間で無線通信する複数の送受信局と、入力された配信する情報に基づいて配信情報を生成する情報入力端末と、前記配信情報を前記送受信局へ供給する情報配信装置とが、インターネットプロトコルに準拠した通信プロトコルを使用した通信ネットワークを介して双方向通信可能な状態で接続された情報配信システムであって、
前記情報入力端末は、
所望の情報と、その所望の情報に関係する地域又は経路を示すエリア識別子とからなるサブコンテンツを含む情報コンテンツと、前記所望の情報の内容の概要を示す配信情報の論理的な識別と、前記移動体端末への送信方式を識別する配信方式識別と、前記配信情報を送信する相手先の前記移動体端末を示す送信先アドレスとしてのマルチキャストＩＰアドレスとからなる情報を前記配信情報として生成する配信情報生成手段と、
生成した前記配信情報を前記通信ネットワークを介して前記情報配信装置へ送信する配信情報送信手段と
を有し、
前記情報配信装置は、
前記情報入力端末から送信された前記配信情報を前記通信ネットワークを介して受信する配信情報受信手段と、
受信した前記配信情報を前記通信ネットワークを介して、その通信ネットワークに接続された全ての前記送受信局へ供給して、その配信情報を全ての前記移動体端末へ無線により同報送信させる同報送信手段と
を有し、
前記移動体端末は、
受信した前記配信情報中の前記サブコンテンツに含まれる前記エリア識別子に基づいて、そのサブコンテンツに含まれる前記所望の情報が自端末にとって有効であるか否かを判定する判定手段と、
前記判定手段により有効と判定した前記所望の情報を、利用者に提供する情報提供手段と
を有することを特徴とする情報配信システム。
【請求項５】
移動体端末との間で無線通信する複数の送受信局と、入力された配信する情報に基づいて配信情報を生成する情報入力端末と、前記配信情報を前記送受信局へ供給する情報配信装置とが、インターネットプロトコルに準拠した通信プロトコルを使用した通信ネットワークを介して双方向通信可能な状態で接続された情報配信システムであって、
前記情報入力端末は、
前記移動体端末の利用者による所望のサービス提供の可否の問い合わせに関する情報コンテンツと、前記情報コンテンツの内容の概要を示す配信情報の論理的な識別と、前記移動体端末への送信方式を識別する配信方式識別と、前記配信情報を送信する相手先の前記移動体端末を示す送信先アドレスとしてのマルチキャストＩＰアドレスと、問い合わせに対応可能な場合に応答を要求する応答識別と、前記情報入力端末のＩＰアドレスである応答先送信アドレスとからなる問い合わせ情報を第１の配信情報として生成する第１の配信情報生成手段と、
生成した前記第１の配信情報を、前記通信ネットワークを介して前記情報配信装置へ送信する第１の配信情報送信手段と、
前記通信ネットワークを介して第１及び第２の応答情報を受信する応答情報受信手段と、
受信した前記第１の応答情報の発信元の一又は二以上の移動体端末の中から選択した一の移動体端末への指示情報として、サービス提供を指示する指示内容を示す情報コンテンツと、指示情報であることを示す論理的な識別と、一の移動体端末に送信することを示す配信方式種別と、送信先の一の移動体端末を示す送信先アドレスとしてのシングルキャストＩＰアドレスと、確認応答を要求する確認応答種別と、前記情報入力端末のＩＰアドレスである応答先送信アドレスとからなる第２の配信情報を生成する第２の配信情報生成手段と、
生成した前記第２の配信情報を、前記通信ネットワークを介して前記情報配信装置へ送信する第２の配信情報送信手段と
を有し、
前記情報配信装置は、
前記情報入力端末から送信された前記第１及び第２の配信情報を前記通信ネットワークを介して受信する配信情報受信手段と、
受信した前記第１の配信情報を前記通信ネットワークを介して、その通信ネットワークに接続された全ての前記送受信局へ供給して、その第１の配信情報を全ての前記移動体端末へ無線により同報送信させる同報送信手段と、
受信した前記第２の配信情報を前記通信ネットワークを介して前記選択した一の移動体端末と通信可能な一の送受信局に供給し、その一の送受信局により前記第２の配信情報を無線により前記選択した一の移動体端末へ送信させる選択送信手段と
を有し、
前記移動体端末は、
前記第１及び第２の配信情報を前記通信ネットワーク及び送受信局を介して受信する受信手段と、
前記第１の配信情報を受信したときは、その第１の配信情報中の前記情報コンテンツが示す問い合わせに対して対応可能であるか否かを判定する問い合わせ判定手段と、
前記問い合わせ判定手段で対応可能と判定したときは、対応可能を示す前記第１の応答情報を生成して、前記複数の送受信局のうちの送受信可能な送受信局と前記通信ネットワークを介して前記第１の配信情報中の前記応答先送信アドレスの情報入力端末へ送信する第１の応答情報送信手段と、
前記第２の配信情報を受信したときは、その第２の配信情報中の前記情報コンテンツが示す指示内容を確認したことを示す前記第２の応答情報を生成して、前記複数の送受信局のうちの送受信可能な送受信局と前記通信ネットワークを介して前記応答先送信アドレスの前記情報入力端末へ送信する第２の応答送信手段と、
を有することを特徴とする情報配信システム。
【請求項６】
前記所望のサービス提供の可否の問い合わせ情報は、タクシー、宅配便トラック、緊急車両などの配車に関する問い合わせ情報であることを特徴とする請求項５記載の情報配信システム。
【請求項７】
移動体端末との間で無線通信する複数の送受信局と、入力された配信する情報に基づいて配信情報を生成する情報入力端末と、前記配信情報を前記送受信局へ供給する情報配信装置とが、インターネットプロトコルに準拠した通信プロトコルを使用した通信ネットワークを介して双方向通信可能な状態で接続されたシステムにおける前記情報配信装置をコンピュータにより実現させる情報配信プログラムであって、
前記コンピュータに、
所望の情報とその所望の情報に関係する地域又は経路を示すエリア識別子とからなるサブコンテンツを含む情報コンテンツと、前記所望の情報の内容の概要を示す配信情報の論理的な識別と、前記移動体端末への送信方式を識別する配信方式識別と、前記配信情報を送信する相手先の前記移動体端末を示す送信先アドレスとしてのマルチキャストＩＰアドレスとからなる情報が前記配信情報として前記情報入力端末により生成されて送信され、その配信情報を前記通信ネットワークを介して受信する配信情報受信ステップと、
受信した前記配信情報を前記通信ネットワークを介して、その通信ネットワークに接続された全ての前記送受信局へ供給して、その配信情報を全ての前記移動体端末へ無線により同報送信させる配信情報送信ステップと
を実行させることを特徴とする情報配信プログラム。
【請求項８】
移動体端末との間で無線通信する複数の送受信局と、入力された配信する情報に基づいて配信情報を生成する情報入力端末と、前記配信情報を前記送受信局へ供給する情報配信装置とが、インターネットプロトコルに準拠した通信プロトコルを使用した通信ネットワークを介して双方向通信可能な状態で接続されたシステムにおける前記情報配信装置をコンピュータにより実現させる情報配信プログラムであって、
前記コンピュータに、
前記移動体端末の利用者による所望のサービス提供の可否の問い合わせに関する情報コンテンツと、前記情報コンテンツの内容の概要を示す配信情報の論理的な識別と、前記移動体端末への送信方式を識別する配信方式識別と、前記配信情報を送信する相手先の前記移動体端末を示す送信先アドレスとしてのマルチキャストＩＰアドレスと、問い合わせに対応可能な場合に応答を要求する応答識別と、前記情報入力端末のＩＰアドレスである応答先送信アドレスとからなる問い合わせ情報が第１の配信情報として前記情報入力端末により生成されて送信されたとき、その第１の配信情報を前記通信ネットワークを介して受信する第１の配信情報受信ステップと、
受信した前記第１の配信情報を前記通信ネットワークを介して、その通信ネットワークに接続された全ての前記送受信局へ供給して、その第１の配信情報を全ての前記移動体端末へ無線により同報送信させる第１の配信情報送信ステップと、
前記通信ネットワークを介して一又は二以上の前記移動体端末から対応可能を示す応答情報を受信した前記情報入力端末が、その応答情報の発信元の移動体端末の中から選択した一の移動体端末への指示情報として、サービス提供を指示する指示内容を示す情報コンテンツと、指示情報であることを示す論理的な識別と、一の移動体端末に送信することを示す配信方式種別と、送信先の一の移動体端末を示す送信先アドレスとしてのシングルキャストＩＰアドレスと、確認応答を要求する確認応答種別と、前記情報入力端末のＩＰアドレスである応答先送信アドレスとからなる第２の配信情報を生成して送信したとき、その第２の配信情報を前記通信ネットワークを介して受信する第２の配信情報受信ステップと、
受信した前記第２の配信情報を前記通信ネットワークを介して、前記選択した一の移動体端末と通信可能な一の送受信局に供給し、その一の送受信局により前記第２の配信情報を無線により前記選択した一の移動体端末へ送信させる第２の配信情報送信ステップと
を実行させることを特徴とする情報配信プログラム。
【請求項９】
前記所望のサービス提供の可否の問い合わせ情報は、タクシー、宅配便トラック、緊急車両などの配車に関する問い合わせ情報であることを特徴とする請求項８記載の情報配信プログラム。
【発明の詳細な説明】
【技術分野】
【０００１】
本発明は移動体端末への情報配信方法、情報配信システム及び情報配信プログラムに係り、特に有線通信または無線通信の通信ネットワークを介して複数の移動体端末に情報を配信する情報配信方法、情報を配信する情報配信システム及び情報配信プログラムに関する。
【背景技術】
【０００２】
従来の音声による移動体通信では使用している無線周波数に同調したすべての無線端末が同一の音声を傍受することが可能である。この特徴を生かし、従来は送信電波が受信可能な地域にいる移動体（無線端末）に対して特定の周波数を使用して共通の音声情報を放送するサービスを提供することが可能である。また、同一の無線周波数を利用している端末では、自分宛ではない通信も傍受可能であるという特性から自分宛でない通信の内容を参考にすることも可能である。
【０００３】
一方、データ通信による移動体通信サービスにおいては、一般的に１対１通信が基本であり、多数の移動体端末に対して１対Ｎのデータ通信により情報の放送もしくは同報送信するサービスを提供できない。そこで、タイムスロットを使用して放送専用のチャネルを形成し、そのチャネルを介して放送データを送信することで複数の移動局に対して放送データを一斉に伝送する移動無線電話システムが知られている（例えば特許文献１参照）。
【０００４】
また、複数の移動通信端末から特定のコンテンツに対して配信要求が集中した場合に、移動通信端末が在圏する無線ゾーンを形成する基地局毎に無線チャネルを設定し、これを用いて同報的にコンテンツを配信するコンテンツ配信方法も従来知られている（例えば、特許文献２参照）。更に、基地局装置から移動端末装置に対して同報チャネルを用いてコンテンツを配信する方法において、コンテンツのデータは移動端末装置から基地局装置に対して上りの同報チャネルを用いて送信する移動通信システムの通信方法も従来知られている（例えば、特許文献３参照）。この移動通信システムでは、基地局単独でコンテンツ情報を格納・管理することによりエリア毎に異なるコンテンツを提供することができ、またユーザが独自に作成したコンテンツを更新し、配信することができる。
【０００５】
また、伝送データが各移動体端末に共通の場合、データ管理装置で全移動体端末を対象とする番号を伝文中に組み込むことにより、全移動体端末に同時にデータを伝送するようにした伝送装置も従来知られている（例えば、特許文献４参照）。更に、汎用機、サーバ等の情報処理装置によって構成されたホスト機が、配信元端末が送り出したメッセージを受け取り、それを予め配信用データ蓄積装置に登録してある、配信先一覧の配信先の全てに配信するようにしたデータ配信方式も従来知られている（例えば、特許文献５参照）。
【０００６】
【特許文献１】特開２０００−２２４６４８号公報（図８）
【特許文献２】特開２００２−０５１００６号公報（図８）
【特許文献３】特開２００４−３６３８９６号公報（図１１）
【特許文献４】特開昭６３−２１４０３８号公報（第２頁）
【特許文献５】特開２００２−１９７０２５号公報（第４頁）
【発明の開示】
【発明が解決しようとする課題】
【０００７】
しかるに、特許文献１、２及び３に記載の従来システムでは、コンテンツを複数の端末に配信するシステムおよびコンテンツを受信する端末のアプリケーションと移動体通信システム間のアプリケーション・通信システム間のインタフェースは移動体通信システムに依存するため、一般に利用されているインターネットプロトコルに準拠した通信ネットワークプロトコルを使用した移動体データ通信における放送又は同報送信ができないという問題がある。
【０００８】
一方、特許文献４には、伝送路を介してデータ管理装置から複数の携帯端末機へ一斉同報通信ができるシステムが開示されており、また、特許文献５には、インターネット等の通信ネットワークを介してメッセージを配信先端末の全てに同報通信することが開示されているが、移動体端末の位置等の条件に応じた最適な対応処理ができない。
【０００９】
本発明は以上の点に鑑みなされたもので、一般に利用されているインターネットプロトコルに準拠した通信ネットワークプロトコルを使用して移動体データ通信において放送または同報送信を可能とすることにより、一般的に普及しているインターネットに接続したシステムまたは端末との相互運用性（インターオペラビリティ）を容易にし得る移動体端末への情報配信方法、情報配信システム及び情報配信プログラムを提供することを目的とする。
【００１０】
また、本発明の他の目的は、移動体音声通信システムと同様に、通信ネットワークを介して複数の移動体端末に同一情報を配信するに際し、配信先の移動体端末の位置等の条件に応じた最適な対応処理が可能な移動体端末への情報配信方法、情報配信システム及び情報配信プログラムを提供することにある。
【課題を解決するための手段】
【００１１】
上記の目的を達成するため、本発明の移動体端末への情報配信方法は、移動体端末との間で無線通信する複数の送受信局と、入力された配信する情報に基づいて配信情報を生成する情報入力端末と、配信情報を送受信局へ供給する情報配信装置とが、インターネットプロトコルに準拠した通信プロトコルを使用した通信ネットワークを介して双方向通信可能な状態で接続されたシステムにおける移動体端末への情報配信方法であって、所望の情報と、その所望の情報に関係する地域又は経路を示すエリア識別子とからなるサブコンテンツを含む情報コンテンツと、所望の情報の内容の概要を示す配信情報の論理的な識別と、移動体端末への送信方式を識別する配信方式識別と、配信情報を送信する相手先の移動体端末を示す送信先アドレスとしてのマルチキャストＩＰアドレスとからなる情報を、情報入力端末が配信情報として生成し、その配信情報を通信ネットワークを介して情報配信装置へ送信する第１のステップと、情報配信装置が第１のステップで情報入力端末から送信された配信情報を受信し、受信したその配信情報を複数の送受信局に供給し、その配信情報を複数の送受信局により全ての移動体端末へ無線により同報送信させる第２のステップと、配信情報を受信した移動体端末が、受信した配信情報中のサブコンテンツに含まれるエリア識別子に基づいて、そのサブコンテンツに含まれる所望の情報が自端末にとって有効であるか否かを判定する第３のステップと、第３のステップで有効と判定した所望の情報を、移動体端末がその端末利用者に提供する第４のステップとを含むことを特徴とする。
【００１２】
この発明では、複数の移動体端末が同一の情報を受信可能とする情報配信方式を設定したため、通信ネットワークを介して複数の移動体端末に同一情報を配信することができ、移動体音声通信システムと同様に複数の移動体端末に対して共通の情報を送信することができるだけでなく、移動体端末は受信した配信情報中のサブコンテンツに含まれる所望の情報を移動体端末の利用者に提供できる。
【００１３】
また、上記の目的を達成するため、本発明の移動体端末への情報配信方法は、移動体端末との間で無線通信する複数の送受信局と、入力された配信する情報に基づいて配信情報を生成する情報入力端末と、配信情報を送受信局へ供給する情報配信装置とが、インターネットプロトコルに準拠した通信プロトコルを使用した通信ネットワークを介して双方向通信可能な状態で接続されたシステムにおける移動体端末への情報配信方法であって、移動体端末の利用者による所望のサービス提供の可否の問い合わせに関する情報コンテンツと、情報コンテンツの内容の概要を示す配信情報の論理的な識別と、移動体端末への送信方式を識別する配信方式識別と、配信情報を送信する相手先の移動体端末を示す送信先アドレスとしてのマルチキャストＩＰアドレスと、問い合わせに対応可能な場合に応答を要求する応答識別と、情報入力端末のＩＰアドレスである応答先送信アドレスとからなる問い合わせ情報を第１の配信情報として情報入力端末が生成し、その第１の配信情報を通信ネットワークを介して情報配信装置へ送信する第１のステップと、情報配信装置が第１のステップで情報入力端末から送信された第１の配信情報を受信して通信ネットワークを介して複数の送受信局に供給し、その第１の配信情報を複数の送受信局により全ての移動体端末へ無線により同報送信させる第２のステップと、第１の配信情報を受信した移動体端末が、受信した第１の配信情報中の情報コンテンツが示す問い合わせに対して対応可能であるか否かを判定する第３のステップと、第３のステップで対応可能と判定した移動体端末が対応可能を示す第１の応答情報を生成して、複数の送受信局のうちの送受信可能な送受信局と通信ネットワークを介して第１の配信情報中の応答先送信アドレスの情報入力端末へ送信する第４のステップと、一又は二以上の移動体端末からの第１の応答情報を受信した情報入力端末が、その第１の応答情報の発信元の移動体端末の中から選択した一の移動体端末への指示情報として、サービス提供を指示する指示内容を示す情報コンテンツと、指示情報であることを示す論理的な識別と、一の移動体端末に送信することを示す配信方式種別と、送信先の一の移動体端末を示す送信先アドレスとしてのシングルキャストＩＰアドレスと、確認応答を要求する確認応答種別と、情報入力端末のＩＰアドレスである応答先送信アドレスとからなる第２の配信情報を生成し、その第２の配信情報を通信ネットワークを介して情報配信装置へ送信する第５のステップと、情報配信装置が第５のステップで情報入力端末から送信された第２の配信情報を受信して通信ネットワークを介して選択した一の移動体端末と通信可能な一の送受信局に供給し、その一の送受信局により第２の配信情報を無線により選択した一の移動体端末へ送信させる第６のステップと、第２の配信情報を受信した選択した一の移動体端末が第２の応答情報を生成して、一の送受信局及び通信ネットワークを介して情報入力端末へ送信する第７のステップとを含むことを特徴とする。
【００１４】
この発明では、同一の問い合わせ情報を複数の移動体端末に対して同報送信し、その問い合わせ情報を受信した複数の移動体端末のうち、その問い合わせに対して対応可能であるときは、対応可能を示す応答情報を生成して移動体端末が情報入力端末へ送信し、情報入力端末は、一又は二以上の移動体端末からの応答情報を受信して、その中から選択した一の移動体端末への指示情報を情報配信端末及び通信ネットワークを介して上記の一の移動体端末のみに送信するようにしたため、情報配信装置から通信ネットワークを介して問い合わせ情報の受信可能な位置にいる複数の移動体端末のうち、問い合わせ内容に対応可能な最適な移動体端末を選択できる。
【００１５】
ここで、上記の所望のサービス提供の可否の問い合わせ情報は、タクシー、宅配便トラック、緊急車両などの配車に関する問い合わせ情報であることを特徴とする。これにより、サービスを受ける者に対して最短時間で配車ができる。
【００１６】
また、上記の目的を達成するため、本発明の情報配信システムは、移動体端末との間で無線通信する複数の送受信局と、入力された配信する情報に基づいて配信情報を生成する情報入力端末と、配信情報を送受信局へ供給する情報配信装置とが、インターネットプロトコルに準拠した通信プロトコルを使用した通信ネットワークを介して双方向通信可能な状態で接続された情報配信システムであって、
情報入力端末は、所望の情報と、その所望の情報に関係する地域又は経路を示すエリア識別子とからなるサブコンテンツを含む情報コンテンツと、所望の情報の内容の概要を示す配信情報の論理的な識別と、移動体端末への送信方式を識別する配信方式識別と、配信情報を送信する相手先の移動体端末を示す送信先アドレスとしてのマルチキャストＩＰアドレスとからなる情報を配信情報として生成する配信情報生成手段と、生成した配信情報を通信ネットワークを介して情報配信装置へ送信する配信情報送信手段とを有し、
情報配信装置は、情報入力端末から送信された配信情報を通信ネットワークを介して受信する配信情報受信手段と、受信した配信情報を通信ネットワークを介して、その通信ネットワークに接続された全ての送受信局へ供給して、その配信情報を全ての移動体端末へ無線により同報送信させる同報送信手段とを有し、
移動体端末は、受信した配信情報中のサブコンテンツに含まれるエリア識別子に基づいて、そのサブコンテンツに含まれる所望の情報が自端末にとって有効であるか否かを判定する判定手段と、判定手段により有効と判定した所望の情報を、利用者に提供する情報提供手段とを有することを特徴とする。
【００１７】
また、上記の目的を達成するため、本発明の情報配信システムは、移動体端末との間で無線通信する複数の送受信局と、入力された配信する情報に基づいて配信情報を生成する情報入力端末と、配信情報を送受信局へ供給する情報配信装置とが、インターネットプロトコルに準拠した通信プロトコルを使用した通信ネットワークを介して双方向通信可能な状態で接続された情報配信システムであって、
情報入力端末は、移動体端末の利用者による所望のサービス提供の可否の問い合わせに関する情報コンテンツと、情報コンテンツの内容の概要を示す配信情報の論理的な識別と、移動体端末への送信方式を識別する配信方式識別と、配信情報を送信する相手先の移動体端末を示す送信先アドレスとしてのマルチキャストＩＰアドレスと、問い合わせに対応可能な場合に応答を要求する応答識別と、情報入力端末のＩＰアドレスである応答先送信アドレスとからなる問い合わせ情報を第１の配信情報として生成する第１の配信情報生成手段と、生成した第１の配信情報を、通信ネットワークを介して情報配信装置へ送信する第１の配信情報送信手段と、通信ネットワークを介して第１及び第２の応答情報を受信する応答情報受信手段と、受信した応答情報の発信元の一又は二以上の移動体端末の中から選択した一の移動体端末への指示情報として、サービス提供を指示する指示内容を示す情報コンテンツと、指示情報であることを示す論理的な識別と、一の移動体端末に送信することを示す配信方式種別と、送信先の一の移動体端末を示す送信先アドレスとしてのシングルキャストＩＰアドレスと、確認応答を要求する確認応答種別と、情報入力端末のＩＰアドレスである応答先送信アドレスとからなる第２の配信情報を生成する第２の配信情報生成手段と、生成した第２の配信情報を、通信ネットワークを介して情報配信装置へ送信する第２の配信情報送信手段とを有し、
情報配信装置は、情報入力端末から送信された第１及び第２の配信情報を通信ネットワークを介して受信する配信情報受信手段と、受信した第１の配信情報を通信ネットワークを介して、その通信ネットワークに接続された全ての送受信局へ供給して、その第１の配信情報を全ての移動体端末へ無線により同報送信させる同報送信手段と、受信した第２の配信情報を通信ネットワークを介して選択した一の移動体端末と通信可能な一の送受信局に供給し、その一の送受信局により第２の配信情報を無線により選択した一の移動体端末へ送信させる選択送信手段とを有し、
移動体端末は、第１及び第２の配信情報を通信ネットワーク及び送受信局を介して受信する受信手段と、第１の配信情報を受信したときは、その第１の配信情報中の情報コンテンツが示す問い合わせに対して対応可能であるか否かを判定する問い合わせ判定手段と、問い合わせ判定手段で対応可能と判定したときは、対応可能を示す第１の応答情報を生成して、複数の送受信局のうちの送受信可能な送受信局と通信ネットワークを介して第１の配信情報中の応答先送信アドレスの情報入力端末へ送信する第１の応答情報送信手段と、第２の配信情報を受信したときは、その第２の配信情報中の情報コンテンツが示す指示内容を確認したことを示す第２の応答情報を生成して、複数の送受信局のうちの送受信可能な送受信局と通信ネットワークを介して応答先送信アドレスの情報入力端末へ送信する第２の応答送信手段と、を有することを特徴とする。
【００１８】
また、上記の目的を達成するため、本発明の情報配信プログラムは、移動体端末との間で無線通信する複数の送受信局と、入力された配信する情報に基づいて配信情報を生成する情報入力端末と、配信情報を送受信局へ供給する情報配信装置とが、インターネットプロトコルに準拠した通信プロトコルを使用した通信ネットワークを介して双方向通信可能な状態で接続されたシステムにおける情報配信装置をコンピュータにより実現させる情報配信プログラムであって、コンピュータに、
所望の情報とその所望の情報に関係する地域又は経路を示すエリア識別子とからなるサブコンテンツを含む情報コンテンツと、所望の情報の内容の概要を示す配信情報の論理的な識別と、移動体端末への送信方式を識別する配信方式識別と、配信情報を送信する相手先の移動体端末を示す送信先アドレスとしてのマルチキャストＩＰアドレスとからなる情報が配信情報として情報入力端末により生成されて送信され、その配信情報を通信ネットワークを介して受信する配信情報受信ステップと、受信した配信情報を通信ネットワークを介して、その通信ネットワークに接続された全ての送受信局へ供給して、その配信情報を全ての移動体端末へ無線により同報送信させる配信情報送信ステップとを実行させることを特徴とする。
【００１９】
また、上記の目的を達成するため、本発明の情報配信プログラムは、移動体端末との間で無線通信する複数の送受信局と、入力された配信する情報に基づいて配信情報を生成する情報入力端末と、配信情報を送受信局へ供給する情報配信装置とが、インターネットプロトコルに準拠した通信プロトコルを使用した通信ネットワークを介して双方向通信可能な状態で接続されたシステムにおける情報配信装置をコンピュータにより実現させる情報配信プログラムであって、コンピュータに、
移動体端末の利用者による所望のサービス提供の可否の問い合わせに関する情報コンテンツと、情報コンテンツの内容の概要を示す配信情報の論理的な識別と、移動体端末への送信方式を識別する配信方式識別と、配信情報を送信する相手先の移動体端末を示す送信先アドレスとしてのマルチキャストＩＰアドレスと、問い合わせに対応可能な場合に応答を要求する応答識別と、情報入力端末のＩＰアドレスである応答先送信アドレスとからなる問い合わせ情報が第１の配信情報として情報入力端末により生成されて送信されたとき、その第１の配信情報を通信ネットワークを介して受信する第１の配信情報受信ステップと、受信した第１の配信情報を通信ネットワークを介して、その通信ネットワークに接続された全ての送受信局へ供給して、その第１の配信情報を全ての移動体端末へ無線により同報送信させる第１の配信情報送信ステップと、通信ネットワークを介して一又は二以上の移動体端末から対応可能を示す応答情報を受信した情報入力端末が、その応答情報の発信元の移動体端末の中から選択した一の移動体端末への指示情報として、サービス提供を指示する指示内容を示す情報コンテンツと、指示情報であることを示す論理的な識別と、一の移動体端末に送信することを示す配信方式種別と、送信先の一の移動体端末を示す送信先アドレスとしてのシングルキャストＩＰアドレスと、確認応答を要求する確認応答種別と、情報入力端末のＩＰアドレスである応答先送信アドレスとからなる第２の配信情報を生成して送信したとき、その第２の配信情報を通信ネットワークを介して受信する第２の配信情報受信ステップと、受信した第２の配信情報を通信ネットワークを介して、選択した一の移動体端末と通信可能な一の送受信局に供給し、その一の送受信局により第２の配信情報を無線により選択した一の移動体端末へ送信させる第２の配信情報送信ステップとを実行させることを特徴とする。
【００２０】
また、上記の目的を達成するため、移動体端末と情報入力端末と情報配信装置とが通信ネットワークを介して双方向に通信可能に接続されている情報配信システムにおいて、上記の情報入力端末は、情報コンテンツ、配信方式識別、送信先アドレス、応答識別及び応答先アドレスを含む第１の配信情報を入力する情報入力手段と、情報入力手段により入力された配信情報に基づき情報配信装置に送信するメッセージを生成する情報配信装置宛送信メッセージ生成手段と、情報配信装置宛送信メッセージ生成手段により生成されたメッセージを通信ネットワークを介して情報配信装置に送信する情報配信装置宛メッセージ送信手段とを備えることを特徴とする。
【００２１】
また、上記の情報入力端末は、第１の配信情報を受信した移動体端末が配信情報に含まれる応答識別に基づき送信する応答メッセージを受信する応答メッセージ受信手段と、応答メッセージ受信手段により受信した応答メッセージを処理する応答情報処理手段とを備えることを特徴とする。
【００２２】
また、上記の情報配信装置は、情報入力端末の情報配信装置宛メッセージ送信手段により送信されたメッセージを受信する情報配信装置宛メッセージ受信手段と、情報配信装置宛メッセージ受信手段により受信したメッセージに含まれる第１の配信情報に基づき移動体端末に送信するメッセージを生成する移動体端末宛送信メッセージ生成手段と、配信情報に含まれる配信方式識別、送信先アドレスに基づき移動体端末宛送信メッセージ生成手段により生成されたメッセージを通信ネットワークを介して移動体端末に送信する移動体端末宛メッセージ送信手段とを備えることを特徴とする。
【００２３】
また、上記の移動体端末は、情報配信装置の移動体端末宛メッセージ送信手段により送信されたメッセージを受信する移動体端末宛メッセージ受信手段と、移動体端末宛メッセージ受信手段により受信したメッセージに含まれる第１の配信情報を処理する配信情報処理手段と、配信情報に含まれる応答識別に基づき応答を求められていた場合応答メッセージを生成する応答メッセージ生成手段と、応答メッセージ生成手段により生成された応答メッセージを情報配信情報に含まれる応答先アドレスに基づき指定された応答先へ応答メッセージを送信する応答メッセージ送信手段とを備えることを特徴とする。
【００２４】
また、本発明の通信ネットワークは、情報入力端末と情報配信端末とを有線通信により接続しＩＰインターネットアドレスにより１対１通信を提供する有線通信ネットワーク機能と、上記情報配信端末と移動体端末とを無線通信により接続しＩＰインターネットアドレスのシングルキャストアドレスによる１対１通信またはマルチキャストアドレスによる１対Ｎ通信を提供する無線通信ネットワーク機能とを備えることを特徴とする。
【００２５】
本発明の第１の情報配信方式は、通信ネットワークにおいて情報配信装置と移動体端末との間で無線通信により接続し移動体端末に割り当てられたＩＰインターネットアドレスのシングルキャストアドレスを送信先アドレスとして設定し１対１通信により情報配信端末から移動体端末１局宛にシングルキャストメッセージを送信する配信方式であることを特徴とする。また、本発明の第２の情報配信方式は、通信ネットワークにおいて情報配信装置と移動体端末との間で無線通信により接続しＩＰインターネットアドレスのマルチキャストアドレスを送信先アドレスとして設定し１対Ｎ通信により情報配信端末からメッセージ１通を複数の移動体端末に対して送信する通信方式であることを特徴とする。
【００２６】
また、本発明の配信情報入力プログラムは、情報入力端末を、情報コンテンツ、配信方式識別、送信先アドレス、応答識別及び応答先アドレスを含む配信情報を入力する情報入力手段と、情報入力手段により入力された配信情報に基づき情報配信装置に送信するメッセージを生成する情報配信装置宛送信メッセージ生成手段と、情報配信装置宛送信メッセージ生成手段により生成されたメッセージを通信ネットワークを介して情報配信装置に送信する情報配信装置宛メッセージ送信手段として機能させる。
【００２７】
また、本発明の応答処理プログラムは、配信情報を受信した移動体端末を、配信情報に含まれる応答識別に基づき送信する応答メッセージを受信する応答メッセージ受信手段と、応答メッセージ受信手段により受信した応答メッセージを処理する応答情報処理手段として機能させる。
【００２８】
また、本発明の情報配信プログラムは、情報配信装置を、情報入力端末の情報配信装置宛送信メッセージ生成手段により送信されたメッセージを受信する情報配信装置宛メッセージ受信手段と、配信装置宛メッセージ受信手段により受信したメッセージに含まれる配信情報に基づき移動体端末に送信するメッセージを生成する移動体端末宛送信メッセージ生成手段と、配信情報に含まれる配信方式識別、送信先アドレスに基づき移動体端末宛送信メッセージ生成手段により生成されたメッセージを通信ネットワークを介して移動体端末に送信する移動体端末宛メッセージ送信手段として機能させる。
【００２９】
更に、本発明の移動体端末プログラムは、移動体端末を、情報配信装置の移動体端末宛メッセージ送信手段により送信されたメッセージを受信する移動体端末宛メッセージ受信手段と、移動体端末宛メッセージ受信手段により受信したメッセージに含まれる配信情報を処理する配信情報処理手段と、配信情報に含まれる応答識別に基づき応答を求められていた場合応答メッセージを生成する応答メッセージ生成手段により生成された応答メッセージを前記情報配信情報に含まれる応答先アドレスに基づき指定された応答先へ応答メッセージを送信する応答メッセージ送信手段として機能させる。
【発明の効果】
【００３０】
本発明によれば、通信ネットワークを介して複数の移動体端末に同一情報を配信するようにしたため、移動体音声通信システムと同様に複数の移動体端末に対して共通の情報を同報送信することができ、また、移動体端末は受信した配信情報中のサブコンテンツのエリア識別子に基づいて自端末にとって有効か否かを判定することができ、複数の移動体端末の個々に応じた選択受信ができ、最適な同報送信ができる。
【発明を実施するための最良の形態】
【００３１】
次に、本発明の最良の実施の形態について図面と共に説明する。
【００３２】
（第１の実施の形態）
図１は本発明になる移動体端末への情報配信システムの第１の実施の形態のシステム構成図を示す。同図に示すように、本実施の形態の情報配信システムは、情報入力端末１０と、情報配信装置２０と、移動体端末３０とがインターネット等の通信ネットワーク１００を介して相互に接続された構成とされており、配信情報を通信ネットワーク１００を介して移動体端末３０に配信するシステムである。なお、情報入力端末１０と情報配信装置２０とは有線通信することも可能である。
【００３３】
情報入力端末１０は配信情報入力プログラムにより、情報配信装置２０は情報配信プログラムにより、また移動体端末３０は移動体端末プログラムにより制御されている。情報入力端末１０は、パーソナルコンピュータ等の情報処理装置であり、配信情報入力オペレータが配信情報を入力する機能を備えている。また、情報入力端末１０は、オペレータが入力した配信情報をネットワーク１００を介して情報配信装置２０に送信する機能を備えている。情報配信装置２０は、情報処理装置であり、情報入力端末１０から送信された配信情報をネットワーク１００を介して受信する機能を備えている。また、情報配信装置２０は、受信した配信情報をネットワーク１００を介して移動体端末３０に送信する機能を備えている。
【００３４】
移動体端末３０は、無線通信機能と情報処理機能を備える端末であり、情報配信装置２０から送信された配信情報をネットワーク１００を介して受信する機能を備えている。また、移動体端末３０は、受信した配信情報を参照し、それが必要な情報か不要な情報かを識別し、必要な配信情報を移動体端末３０のオペレータに提供する機能を備えている。
【００３５】
次に、図１〜図５を参照して本実施の形態の全体の動作について、渋滞情報や道路工事情報などの交通情報を移動体端末３０に提供するシステムを例にとって詳細に説明する。
【００３６】
まず、交通情報入力オペレータは、情報入力端末１０により配信情報として交通情報を入力する（図２のステップＡ１）。入力する交通情報には、どの地域に関する交通情報かを示すエリア識別子（図３の４１）と、詳細な交通情報（図３の４２）とが含まれている。情報入力端末１０は、オペレータが入力した上記の図３の構成の交通情報に基づいた配信情報を情報配信装置２０に送信する（図２のステップＡ２）。
【００３７】
情報入力端末１０が情報配信装置２０に送信する交通情報として配信する配信情報（図２のＡ３）は、配信情報の論理的な識別として交通情報を示す識別子（図４の５１）と、複数の移動体端末に配信することを示す配信方式識別子（図４の５２）と、複数の移動体端末に送信するための送信アドレスとしてマルチキャストＩＰアドレス（図４の５３）とが設定される。
【００３８】
また、配信する交通情報の情報コンテンツは、エリア識別子と当該エリアの一つあるいは複数の交通情報とを論理単位とするサブコンテンツ（図４の５４、５５、５６および５７）で構成される。サブコンテンツの数は任意で、一つのサブコンテンツのみを配信することも複数のサブコンテンツをまとめて配信することもできる。
【００３９】
情報配信装置２０は、情報入力端末１０から送信された交通情報を受信すると（図２のステップＡ４）、交通情報を複数の移動体端末３０に同時に送信する（図２のステップＡ５）。なお、図１では、移動体端末３０は代表して一台のみ図示しているが、通信ネットワーク１００に複数台の移動体端末３０が接続可能である。
【００４０】
通信ネットワーク１００は、図５に１０１で示すように、移動体端末と情報配信装置２０との間で無線通信を行うためＮ局の送受信局１１１、１１２、１１３、・・・、１１Ｎを備えている。送受信局１１１は図５に示すエリア１２１をカバーし、送受信局１１２は図５のエリア１２２をカバーし、送受信局１１３は図５のエリア１２３をカバーし、送受信局１１Ｎは図５のエリア１２Ｎをカバーする。
【００４１】
情報入力端末１０が設定したマルチキャストＩＰアドレス（図４の５３）に対して情報配信装置２０の制御の下、通信ネットワーク（図５の１０１、図１の１００）は、すべての送受信局１１１〜１１Ｎに対して同時に送信をするように設定されている。従って、情報配信装置２０から図２のステップＡ５で送信された交通情報（図２のＡ６）は、通信ネットワーク１００（１０１）を介して通信ネットワーク１００（１０１）のサービス領域全域に位置する移動体端末すべてに同報送信される。
【００４２】
図２の移動体端末３０Ｘは、情報配信装置２０から通信ネットワーク１００（１０１）を介して送信された交通情報を受信し（図２のステップＡ７）、受信した交通情報が有効な情報であると判断したものとすると（図２のステップＡ８及びＡ９）、受信した交通情報を移動体端末３０Ｘのオペレータに提供する（図２のステップＡ１０）。同様に、図２の移動体端末３０Ｙも同様に、情報配信装置２０から送信された交通情報を受信し（図２のステップＡ１１）、受信した交通情報が有効な情報であると判断したものとすると（図２のステップＡ１２及びＡ１３）、受信した交通情報を移動体端末３０Ｙのオペレータに提供する（図２のステップＡ１４）。
【００４３】
一方、図２の移動体端末３０Ｚが、情報配信装置２０から送信された交通情報を受信し（図２のステップＡ１５）、受信した交通情報が有効な情報ではないと判断したときは（図２のステップＡ１６及びＡ１７）、受信した交通情報は移動体端末３０Ｚのオペレータに提供しない。
【００４４】
移動体端末３０（３０Ｘ〜３０Ｚ）において、情報配信端末２０から送信されて通信ネットワーク１００を介して受信した交通情報が、自端末にとって有効か否かを判断する条件は、移動体端末３０（３０Ｘ〜３０Ｚ）の業務によって自由に設定することができる。例えば、業務用車両に搭載されている移動体端末においては、業務対象地域に関する情報を図４のサブコンテンツのエリア識別子により選択する方法、Ａ地点からＢ地点に移動する移動体端末においてはＡ地点からＢ地点に移動する経路に関する情報を図４のサブコンテンツのエリア識別子により選択する方法や、移動体端末の位置から一定距離以内の地域に関する情報を図４のサブコンテンツのエリア識別子により選択する方法などがある。
【００４５】
このように、本実施の形態によれば、情報配信装置２０から通信ネットワーク１００（１０１）を介して複数の移動体端末３０（３０Ｘ〜３０Ｚ）へ同一の交通情報（図４の５１）を同報送信することができるだけでなく、受信側の複数の移動体端末３０（３０Ｘ〜３０Ｚ）が、受信した交通情報が自端末にとって有効か否かを受信情報中のサブコンテンツのエリア識別子から判定することができるため、複数の移動体端末３０（３０Ｘ〜３０Ｚ）の個々に応じた選択受信ができ、最適な同報送信ができる。また、特殊な通信システムを用いずに情報配信システムを構築できる。一般的に利用されているインターネットプロトコルに準拠した通信プロトコルにより情報配信システムを実現したためである。
【００４６】
なお、図２では図示を省略したが、移動体端末３０Ｘ、３０ＹがステップＡ９、Ａ１３でそれぞれ受信した交通情報が自端末にとって有効でないと判断したときには、処理を終了し受信した交通情報は自端末のオペレータには提供せず、移動体端末３０ＺがステップＡ１７で受信した交通情報が自端末にとって有効であると判断した時には、ステップＡ１０、Ａ１４と同様に、受信した交通情報を自端末のオペレータ（利用者）に提供する。
【００４７】
（第２の実施の形態）
次に、本発明の第２の実施の形態について説明する。図６は本発明になる移動体端末への情報配信システムの第２の実施の形態のシステム構成図を示す。同図に示すように、本実施の形態の情報配信システムは、情報入力端末１５と、情報配信装置２０と、移動体端末３５とがインターネット等の通信ネットワーク１００を介して相互に接続された構成とされており、配信情報を通信ネットワーク１００を介して情報配信装置２０から移動体端末３５に配信し、また問い合わせ情報を移動体端末３５に提供し移動体端末３５からの応答情報を受信した情報入力端末１５により指示情報を情報配信装置２０及び通信ネットワーク１００を介して所望の移動体端末３５のみに送信するシステムである。なお、図６では、移動体端末３５は代表して一台のみ図示しているが、通信ネットワーク１００に複数台の移動体端末３５が接続可能である。
【００４８】
情報入力端末１５は、配信情報入力プログラムおよび応答情報処理プログラムにより、情報配信装置２０は情報配信プログラムにより、また移動体端末３５は移動体端末プログラムにより制御されている。情報入力端末１５は、パーソナルコンピュータ等の情報処理装置であり、配信情報入力オペレータが配信情報を入力する機能を備えると共に、オペレータが入力した配信情報を、通信ネットワーク１００を介して情報配信装置２０に送信する機能を備えている点は第１の実施の形態の情報入力端末１０と同様であるが、更に情報入力端末１５は移動体端末３５が送信した応答情報を、通信ネットワーク１００を介して受信し、応答情報を処理する機能をも備えている。
【００４９】
情報配信装置２０は、情報処理装置であり、情報入力端末１５から送信された配信情報を、通信ネットワーク１００を介して受信する機能を備えている。また、情報配信装置２０は、受信した配信情報を、通信ネットワーク１００を介して移動体端末３５に送信する機能を備えている。
【００５０】
移動体端末３５は、情報配信装置２０から送信された配信情報を、通信ネットワーク１００を介して受信する機能を備えている点は第１の実施の形態の移動体端末３０と同様であるが、この実施の形態の移動体端末３５は更に、受信した配信情報を参照し応答すべき情報か応答不要な情報かを識別し、応答すべき情報と判断した場合、指定された応答先に必要な応答情報を送信する機能を備えている。図６に示す本発明の第２の実施の形態は、図１に示された配信情報入力プログラムに加え、応答情報処理プログラムにより情報入力端末１５が制御されている点が異なる。
【００５１】
次に、図６に示す第２の実施の形態の全体の動作について、図６〜図１３を参照して配車のための問い合わせを移動体端末３５に行い、問い合わせに対する移動体端末３５からの応答に基づいて配車指示を移動体端末３５に提供する宅配便配車システムを例にとって詳細に説明する。まず、入力オペレータは、図６の情報入力端末１５により問い合わせ情報を入力する（図７のステップＢ１）。この入力する問い合わせ情報には、配車する場所を示す配車先情報（図８の６１）と、配車に関する詳細な情報である配車条件（図８の６２）とが含まれている。配車先情報は、配車先の住所あるいは緯度、経度により表される。また、配車条件には、集荷指定時間、集荷する荷物の情報（冷蔵庫など）が含まれる。
【００５２】
情報入力端末１５は、オペレータが入力した問い合わせ情報に基づき配信情報を生成して通信ネットワーク１００を介して情報配信装置２０に送信する（図７のステップＢ２）。情報入力端末１５が情報配信装置２０に送信する配信情報（図７のＢ３）は、図９に示すように、配信情報の論理的な識別として配車問い合わせ情報を示す識別子７１と、複数の移動体端末に配信することを示す配信方式識別子７２と、複数の移動体端末に送信するための送信アドレスとしてマルチキャストＩＰアドレス７３と、問い合わされた配車情報に対応可能な場合、応答を要求する応答識別７４と、応答先送信アドレスとして情報入力端末１５のＩＰアドレス７５と問い合わせ情報コンテンツとが設定される。この問い合わせ情報コンテンツは、配車する場所を示す配車先位置情報（図９の７６）と配車に関する詳細な情報（図９の７７）で構成される。
【００５３】
情報配信装置２０は情報入力端末１５から送信された問い合わせ情報を受信し（図７のステップＢ４）、問い合わせ情報を通信ネットワーク１００を介してマルチキャストＩＰアドレス（図９の７３）が示す複数の移動体端末３５に送信する（図７のステップＢ５）。ここで、通信ネットワーク１００は、図１０に１０１で示すように、情報配信装置２０と移動体端末との間で無線通信を行うため、Ｎ局の送受信局１１１、・・・１１ｊ、１１ｊ＋１、・・・、１１Ｎを備えている。送受信局１１１は図１０に示すエリア１２１をカバーし、送受信局１１ｊは図１０のエリア１２jをカバーし、送受信局１１j+1は図１０のエリア１２j+1をカバーし、送受信局１１Ｎは図１０のエリア１２Ｎをカバーする。
【００５４】
ここで、情報入力端末１５が設定し情報配信装置２０が送信するマルチキャストＩＰアドレス（図９の７３）に対して通信ネットワーク１００（図１０の１０１）は、送受信局１１ｊと送受信局１１ｊ＋１に対して送信をするように設定されている。従って、情報配信装置２０から送信された上記の問い合わせ情報（図７のＢ６）は、通信ネットワーク１００（図１０の１０１）の送受信局１１ｊと送受信局１１ｊ＋１がそれぞれカバーする図１０のエリア１２ｊと１２j+1に位置する移動体端末すべて（ここでは、図７の移動体端末３５Ｘ、３５Ｙ、３５Ｚ）に同時に送信される。
【００５５】
移動体端末３５Ｘは、情報配信装置２０から通信ネットワーク１００（図１０の１０１）を介して送信された問い合わせ情報を受信し（図７のステップＢ７）、受信した問い合わせ情報に対応可能であるかどうか判断し（図７のステップＢ８及びＢ９）、対応可能であれば応答情報を作成し、それを指定された応答先である情報入力端末１５に通信ネットワーク１００（図１０の１０１）を介して応答送信する（図７のステップＢ１０）。移動体端末３５Ｙも同様に、情報配信装置２０から送信された問い合わせ情報を受信し（図７のステップＢ１１）、受信した問い合わせ情報に対応可能であるかどうか判断し（図７のステップＢ１２及びＢ１３）、応答可能であれば応答情報を作成し、それを指定された応答先である情報入力端末１５に通信ネットワーク１００（図１０の１０１）を介して応答送信する（図７のステップＢ１４）。
【００５６】
一方、移動体端末３５Ｚも、情報配信装置２０から送信された問い合わせ情報を受信し（図７のステップＢ１５）、受信した問い合わせ情報に対応可能であるかどうか判断するが（図７のステップＢ１６及びＢ１７）、ここでは受信した問い合わせ情報に対応できないと判断するため、受信した配信情報に対して応答情報を作成せず、受信した配信情報を廃棄する（図７のステップＢ１８）。
【００５７】
移動体端末３５Ｘ、３５Ｙが送信する応答情報（図７のＢ１９）は、図１１に示すように、配車問い合わせに対する応答であることを示す識別子８１と、配車が指示された場合の詳細な情報８２と、送信元の移動体端末３５Ｘ、３５ＹのＩＰアドレス８３が設定される。情報入力端末１５は、移動体端末３５Ｘ、３５Ｙから送信された応答情報Ｂ１９を受信すると、応答情報を表示する（図７のステップＢ２０）。
【００５８】
情報入力端末１５のオペレータは、配車問い合わせ情報に対して移動体端末３５Ｘ、３５Ｙから受信した応答情報の表示を見て確認し、配車指示を決定し情報入力端末１５に配車指示を入力する（図７のＢ２１）。これにより、情報入力端末１５はオペレータから入力された配車指示に基づいて配車指示情報を生成して情報配信装置２０に通信ネットワーク１００を介して送信する（図７のＢ２２）。
【００５９】
情報入力装置１５が情報配信装置２０に送信する配車指示情報（図７のＢ２３）は、図１２に示すように、配信情報の論理的な識別として配車指示情報を示す識別子９１と、一つの移動体端末に配信することを示す配信方式識別子９２と、一つの移動体端末に送信するための送信アドレスとしてのシングルキャストＩＰアドレス９３と、配車指示情報を確認した場合、応答を要求する応答識別９４と、応答先送信アドレスとして情報入力端末１５のＩＰアドレス９５と配車指示に関する情報コンテンツとが設定される。この配車指示に関する情報コンテンツは、配車する場所を示す配車先位置情報（図１２の９６）と、配車に関する詳細な情報（図１２の９７）とで構成される。
【００６０】
情報配信装置２０は情報入力端末１５から送信された図１２に示すフォーマットの配車指示情報を受信すると（図７のステップＢ２４）、通信ネットワーク１００（図１０の１０１）を介して受信した配車指示情報に含まれる送信アドレス（図１２の９３）が割り振られた移動体端末３５Ｘに配車指示情報を送信する（図７のステップＢ２５）。
【００６１】
通信ネットワーク１００は、図１０と共に説明したように、移動体端末と情報配信装置２０との間で無線通信を行うため、Ｎ局の送受信局（図１０の１１１、・・・、１１ｊ、１１j+1、・・・、１１Ｎ）を備えている。情報入力端末１５が設定した上記の送信アドレス（図１２の９３）に対して情報配信装置２０は、設定された送信アドレス（シングルキャストＩＰアドレス）が割り振られた移動体端末３５Ｘに対して通信を行っている図１０の通信ネットワーク１０１の送受信局１１ｊに対して送信動作をさせる。従って、情報配信装置２０から送信された配車指示情報（図７のＢ２５）は、図１３に示すように、送受信局１１ｊからエリア１２ｊに在圏する移動体端末３５Ｘのみに送信される。
【００６２】
移動体端末３５Ｘは、情報配信装置２０から通信ネットワーク１０１を介して送信された配車指示情報を受信し（図７のステップＢ２７）、受信した配車指示情報を移動体端末３５Ｘのオペレータに提供する（図７のステップＢ２８）。オペレータがその配車指示情報の確認入力を行うと、移動体端末３５Ｘは応答情報を作成して指定された応答先である情報入力端末１５に通信ネットワーク１００を介して応答送信する（図７のステップＢ２９）。
【００６３】
移動体端末３５Ｘが送信する応答情報（図７のＢ３０）は、前述した応答情報Ｂ１９と同様に、配車問い合わせに対する応答であることを示す識別子（図１１の８１）と、配車が指示された場合の詳細な情報（図１１の８２）と、送信元の移動体端末３５ＸのＩＰアドレス（図１１の８３）が設定される。
【００６４】
情報入力端末１５は、移動体端末３５Ｘのオペレータが配車指示を確認したことを示す応答情報を移動体端末３５Ｘから受信すると（図７のステップＢ３１）、自端末の表示装置に受信した応答情報を表示する（図７のステップＢ３２）。
【００６５】
このように、本実施の形態では、情報配信装置２０から通信ネットワーク１００を介して同報送信された問い合わせ情報を受信した移動体端末３５Ｘ、３５Ｙ、３５Ｚのうち、対応可能な移動体端末３５Ｘ及び３５Ｙからの応答情報を情報入力端末１５が通信ネットワーク１００を介して受信し、その中から情報入力端末１５のオペレータが選択した一つの移動体端末３５Ｘのみに配車指示情報を送信するようにしたため、最適な配車指示ができる。
【００６６】
なお、図７では図示を省略したが、移動体端末３５Ｘ、３５ＹがステップＢ９、Ｂ１３でそれぞれ受信した問い合わせ情報に対応可能でないと判断したときには、受信した問い合わせ情報を廃棄して応答せず、また、移動体端末３５ＺがステップＢ１７で受信した問い合わせ情報に対応可能であると判断した時には、ステップＢ１０、Ｂ１４と同様に、受信した問い合わせ情報に対応した応答情報を生成して情報入力端末１５へ応答送信する。
【００６７】
なお、本発明は以上の実施の形態に限定されるものではなく、例えば、交通情報や気象情報などを移動体端末に配信する情報提供システム、タクシー、宅配便トラック、緊急車両などに対して配車指示を行う配車システム、航空機や艦船に対して管制指示を行う管制システムなどにも適用可能である。また、通信ネットワークは無線通信に限らず、有線通信のネットワークも本発明の適用可能である。
【図面の簡単な説明】
【００６８】
【図１】本発明の第１の実施の形態のシステム構成図である。
【図２】本発明の第１の実施の形態における動作説明用フローチャートである。
【図３】本発明の第１の実施の形態における入力する交通情報の一例の構成を示す図である。
【図４】本発明の第１の実施の形態における交通情報として配信する情報の一例の構成を示す図である。
【図５】本発明の第１の実施の形態における通信ネットワークが交通情報を移動体端末に送信する動作を示す図である。
【図６】本発明の第２の実施の形態のシステム構成図である。
【図７】本発明の第２の実施の形態における動作説明用フローチャートである。
【図８】本発明の第２の実施の形態における入力する配車問い合わせ情報の一例の構成を示す図である。
【図９】本発明の第２の実施の形態における情報入力端末が送信する問い合わせ情報の一例の構成を示す図である。
【図１０】本発明の第２の実施の形態における通信ネットワークが配車問い合わせ情報を移動体端末に送信する動作を示す図である。
【図１１】本発明の第２の実施の形態における移動体端末が配信問い合わせ情報に対する応答情報の一例の構成を示す図である。
【図１２】本発明の第２の実施の形態における配車指示情報の一例の構成を示す図である。
【図１３】本発明の第２の実施の形態における通信ネットワークが配車指示情報を移動体端末に送信する動作を示す図である。
【符号の説明】
【００６９】
１０、１５  情報入力端末
２０  情報配信装置
３０、３０Ｘ〜３０Ｚ、３５、３５Ｘ〜３０Ｚ  移動体端末
１００、１０１  通信ネットワーク  
１１１〜１１Ｎ  送受信局
【図１】
0004736582.tif 000002
【図２】
0004736582.tif 000003
【図３】
0004736582.tif 000004
【図４】
0004736582.tif 000005
【図５】
0004736582.tif 000006
【図６】
0004736582.tif 000007
【図７】
0004736582.tif 000008
【図８】
0004736582.tif 000009
【図９】
0004736582.tif 000010
【図１０】
0004736582.tif 000011
【図１１】
0004736582.tif 000012
【図１２】
0004736582.tif 000013
【図１３】
0004736582.tif 000014